(57)【要約】【課題】再生可能エネルギーの利用を促進するとともに電気自動車の普及を促進すること。【解決手段】風力発蓄電所１１、ミニ水力発蓄電所２１、太陽光発蓄電所３１、ゴミ発蓄電所４１およびバイオマス発蓄電所５１が再生可能エネルギーから電気エネルギーを生成して蓄電池に蓄電し、蓄電池に蓄電した電気エネルギーを用いて風力充電スタンド１２、ミニ水力充電スタンド２２、太陽光充電スタンド３２、ゴミ充電スタンド４２およびバイオマス充電スタンド５２が電気自動車等の電気を利用する移動体の蓄電池を充電する。【選択図】        図１
2008131841.tif 000002
【特許請求の範囲】
【請求項１】
再生可能エネルギーを用いて発電を行う再生可能エネルギー発電工程と、
蓄電池から電気エネルギーを取り出して移動する移動体の蓄電池を前記再生可能エネルギー発電工程による発電によって生成された電気エネルギーを用いて充電する移動体充電工程と、
を含んだことを特徴とする再生可能エネルギー利用方法。
【請求項２】
再生可能エネルギーを用いて発電を行う再生可能エネルギー発電手段と、
蓄電池から電気エネルギーを取り出して移動する移動体の蓄電池を前記再生可能エネルギー発電手段による発電によって生成された電気エネルギーを用いて充電する移動体充電手段と、
を備えたことを特徴とする再生可能エネルギー利用システム。
【請求項３】
バイオマスエネルギーまたは廃棄エネルギーにより合成燃料を生成する燃料生成手段と、
合成燃料を用いて移動する移動体に前記燃料生成手段により生成された合成燃料を供給する燃料供給手段と、
をさらに備えたことを特徴とする請求項２に記載の再生可能エネルギー利用システム。
【請求項４】
再生可能エネルギーに関する情報を管理する再生可能エネルギー情報管理手段をさらに備え、
前記再生可能エネルギー情報管理手段は、
前記移動体充電手段により充電に用いられる電気エネルギーの保有量を含む情報を収集する情報収集手段と、
前記情報収集手段により収集された情報を前記移動体の利用者に提供する情報提供手段と、
を備えたことを特徴とする請求項２または３に記載の再生可能エネルギー利用システム。
【請求項５】
前記再生可能エネルギー情報管理手段は、
前記再生可能エネルギー発電手段による発電によって所定の時間先までに生成される電気エネルギー量を予測する発電量予測手段と、
前記移動体充電手段による蓄電池の充電によって所定の時間先までに消費される電気エネルギー量を予測する消費量予測手段と、
前記情報収集手段により収集された電気エネルギーの保有量、前記発電量予測手段により生成が予測された電気エネルギー量および前記消費量予測手段により消費が予測された電気エネルギー量に基づいて所定の時間先の電気エネルギーの保有量を予測する保有量予測手段とをさらに備え、
前記情報提供手段は、前記保有量予測手段により予測された所定の時間先の電気エネルギーの保有量を提供することを特徴とする請求項４に記載の再生可能エネルギー利用システム。
【請求項６】
前記再生可能エネルギー情報管理手段は、
前記移動体への充電に関する市場価格の情報の入力を受け付けて該市場価格より安い充電価格を算出する価格算出手段をさらに備えたことを特徴とする請求項４または５に記載の再生可能エネルギー利用システム。
【請求項７】
前記再生可能エネルギー発電手段には、少なくとも風力発電所、ミニ水力発電所、太陽光発電所、ゴミ発電所、バイオマス発電所のいずれかが含まれることを特徴とする請求項２〜６のいずれか一つに記載の再生可能エネルギー利用システム。
【請求項８】
蓄電池から電気エネルギーを取り出して移動する移動体の蓄電池を充電する電気エネルギーを再生可能エネルギーを用いた発電によって生成する再生可能エネルギー利用発電所からエネルギー保有量を含む情報を収集する充電情報収集手段と、
前記充電情報収集手段により収集された情報を前記移動体の利用者に提供する充電情報提供手段と、
を備えたことを特徴とする再生可能エネルギー情報管理装置。
【発明の詳細な説明】
【技術分野】
【０００１】
この発明は、再生可能エネルギーおよび電気自動車等の電気を利用する移動体の利用を促進することができる再生可能エネルギー利用方法、再生可能エネルギー利用システムおよび再生可能エネルギー情報管理装置に関するものである。ここで、再生可能エネルギーとは、風力、太陽エネルギー、ミニ水力、バイオマスエネルギー（生物資源エネルギー）など再生が可能なエネルギーである。
【背景技術】
【０００２】
再生可能エネルギーを利用した風力発電、太陽光発電、ミニ水力発電などの再生可能エネルギー発電は、石油を使う水力発電とは異なり、枯渇することがない資源を用いて発電を行っているため、その利用を促進する技術の開発が進められている。
【０００３】
例えば、特許文献１には、再生可能エネルギー発電が環境に対して優しく環境負荷が少ないことを付加価値として評価し、付加価値取引のためのバーチャル市場を提供するなどによって、再生可能エネルギー発電を促進する再生可能エネルギー発電付加価値評価システムが記載されている。
【０００４】
【特許文献１】特開２００１−３０６７５５号公報
【発明の開示】
【発明が解決しようとする課題】
【０００５】
しかしながら、再生可能エネルギー発電は、その元となる再生可能エネルギーの発生場所とエネルギー利用（需要）の場所とが距離的に遠い場合が多く、出力信頼性も高くないことから、電力系統に有効に接続（需給バランスや品質調整等）するコストが高いことや、既存の系統（利用する需要家）に悪影響を及ぼすことが多いという問題がある。
【０００６】
一方、自動車等の移動体では、脱石油や再生可能エネルギーの利用が遅れている。そのため、再生可能エネルギーを水素に転換して利用することが検討されているが、水素を発生、貯蔵、輸送、利用するコストが既存の燃料や電気エネルギーに較べて高いという問題がある。
【０００７】
この発明は、上述した従来技術による問題点を解消するためになされたものであり、再生可能エネルギーおよび電気自動車等の電気を利用する移動体の利用を促進することができる再生可能エネルギー利用方法、再生可能エネルギー利用システムおよび再生可能エネルギー情報管理装置を提供することを目的とする。
【課題を解決するための手段】
【０００８】
上述した課題を解決し、目的を達成するため、請求項１に係る発明は、再生可能エネルギーを用いて発電を行う再生可能エネルギー発電工程と、蓄電池から電気エネルギーを取り出して移動する移動体の蓄電池を前記再生可能エネルギー発電工程による発電によって生成された電気エネルギーを用いて充電する移動体充電工程と、を含んだことを特徴とする再生可能エネルギー利用方法である。
【０００９】
この請求項１の発明によれば、再生可能エネルギーを用いて発電を行い、蓄電池から電気エネルギーを取り出して移動する移動体の蓄電池を再生可能エネルギー発電によって生成した電気エネルギーを用いて充電するよう構成したので、再生可能エネルギー発電所を電力系統に接続することなく再生可能エネルギー発電電力を利用することができる。
【００１０】
また、請求項２に係る発明は、再生可能エネルギーを用いて発電を行う再生可能エネルギー発電手段と、蓄電池から電気エネルギーを取り出して移動する移動体の蓄電池を前記再生可能エネルギー発電手段による発電によって生成された電気エネルギーを用いて充電する移動体充電手段と、を備えたことを特徴とする再生可能エネルギー利用システムである。
【００１１】
この請求項２の発明によれば、再生可能エネルギーを用いて発電を行い、蓄電池から電気エネルギーを取り出して移動する移動体の蓄電池を再生可能エネルギー発電によって生成した電気エネルギーを用いて充電するよう構成したので、再生可能エネルギー発電所を電力系統に接続することなく再生可能エネルギー発電電力を利用することができる。
【００１２】
また、請求項３に係る発明は、上記発明において、バイオマスエネルギーまたは廃棄エネルギーにより合成燃料を生成する燃料生成手段と、合成燃料を用いて移動する移動体に前記燃料生成手段により生成された合成燃料を供給する燃料供給手段と、をさらに備えたことを特徴とする。
【００１３】
この請求項３の発明によれば、バイオマスエネルギーまたは廃棄エネルギーにより合成燃料を生成し、合成燃料を用いて移動する移動体に生成した合成燃料を供給するよう構成したので、合成燃料の形態でも再生可能エネルギーを利用することができる。
【００１４】
また、請求項４に係る発明は、上記発明において、再生可能エネルギーに関する情報を管理する再生可能エネルギー情報管理手段をさらに備え、前記再生可能エネルギー情報管理手段は、前記移動体充電手段により充電に用いられる電気エネルギーの保有量を含む情報を収集する情報収集手段と、前記情報収集手段により収集された情報を前記移動体の利用者に提供する情報提供手段と、を備えたことを特徴とする。
【００１５】
この請求項４の発明によれば、充電に用いられる電気エネルギーの保有量を含む情報を収集し、収集した情報を移動体の利用者に提供するよう構成したので、利用者は再生可能エネルギーから生成された電気エネルギーが利用可能な状態にあるか否かを知ることができる。
【００１６】
また、請求項５に係る発明は、上記発明において、前記再生可能エネルギー情報管理手段は、前記再生可能エネルギー発電手段による発電によって所定の時間先までに生成される電気エネルギー量を予測する発電量予測手段と、前記移動体充電手段による蓄電池の充電によって所定の時間先までに消費される電気エネルギー量を予測する消費量予測手段と、前記情報収集手段により収集された電気エネルギーの保有量、前記発電量予測手段により生成が予測された電気エネルギー量および前記消費量予測手段により消費が予測された電気エネルギー量に基づいて所定の時間先の電気エネルギーの保有量を予測する保有量予測手段とをさらに備え、前記情報提供手段は、前記保有量予測手段により予測された所定の時間先の電気エネルギーの保有量を提供することを特徴とする。
【００１７】
この請求項５の発明によれば、発電によって所定の時間先までに生成される電気エネルギー量を予測し、充電によって所定の時間先までに消費される電気エネルギー量を予測し、収集した電気エネルギーの保有量、予測した生成電気エネルギー量および消費電気エネルギー量に基づいて所定の時間先の電気エネルギーの保有量を予測し、予測した所定の時間先の電気エネルギーの保有量を提供するよう構成したので、利用者は充電スタンドや合成燃料充填所までの移動中に電気エネルギーや合成燃料が消費されてしまうリスクをとることなく、再生可能エネルギーの利用を検討することができる。
【００１８】
また、請求項６に係る発明は、上記発明において、前記再生可能エネルギー情報管理手段は、前記移動体への充電に関する市場価格の情報の入力を受け付けて該市場価格より安い充電価格を算出する価格算出手段をさらに備えたことを特徴とする。
【００１９】
この請求項６の発明によれば、移動体への充電に関する市場価格の情報の入力を受け付けて市場価格より安い充電価格を算出するよう構成したので、利用者に再生可能エネルギーの利用を動機付けることができる。
【００２０】
また、請求項７に係る発明は、上記発明において、前記再生可能エネルギー発電手段には、少なくとも風力発電所、ミニ水力発電所、太陽光発電所、ゴミ発電所、バイオマス発電所のいずれかが含まれることを特徴とする。
【００２１】
この請求項７の発明によれば、少なくとも風力発電所、ミニ水力発電所、太陽光発電所、ゴミ発電所、バイオマス発電所のいずれかを含むよう構成したので、地域に適した再生可能エネルギーを利用することができる。
【００２２】
また、請求項８に係る発明は、蓄電池から電気エネルギーを取り出して移動する移動体の蓄電池を充電する電気エネルギーを再生可能エネルギーを用いた発電によって生成する再生可能エネルギー利用発電所からエネルギー保有量を含む情報を収集する充電情報収集手段と、前記充電情報収集手段により収集された情報を前記移動体の利用者に提供する充電情報提供手段と、を備えたことを特徴とする再生可能エネルギー情報管理装置である。
【００２３】
この請求項８の発明によれば、蓄電池から電気エネルギーを取り出して移動する移動体の蓄電池を充電する電気エネルギーを再生可能エネルギーを用いた発電によって生成する再生可能エネルギー利用発電所からエネルギー保有量を含む情報を収集し、収集した情報を移動体の利用者に提供するよう構成したので、利用者は再生可能エネルギーから生成された電気エネルギーが利用可能な状態にあるか否かを知ることができる。
【発明の効果】
【００２４】
請求項１および２の発明によれば、再生可能エネルギー発電所を電力系統に接続することなく再生可能エネルギー発電電力を利用することができるので、高度な電力品質を追求する必要性や既存の電力系統に及ぼす悪影響がなく、再生可能エネルギーの利用を促進することができるという効果を奏する。
【００２５】
また、請求項３の発明によれば、合成燃料の形態でも再生可能エネルギーを利用することができるので、再生可能エネルギーの利用をさらに促進することができるという効果を奏する。
【００２６】
また、請求項４および８の発明によれば、利用者は再生可能エネルギーから生成された電気エネルギーが利用可能な状態にあるか否かを知ることができるので、再生可能エネルギーの利用をさらに促進することができるという効果を奏する。
【００２７】
また、請求項５の発明によれば、利用者は充電スタンドや合成燃料充填所までの移動中に電気エネルギーや合成燃料が消費されてしまうリスクをとることなく、再生可能エネルギーの利用を検討することができるので、再生可能エネルギーの利用をさらに促進することができるという効果を奏する。
【００２８】
また、請求項６の発明によれば、利用者に再生可能エネルギーの利用を動機付けるので、再生可能エネルギーの利用を促進することができるという効果を奏する。
【００２９】
また、請求項７の発明によれば、地域に適した再生可能エネルギーを利用することができるので、再生可能エネルギーの利用を促進することができるという効果を奏する。
【発明を実施するための最良の形態】
【００３０】
以下に添付図面を参照して、この発明に係る再生可能エネルギー利用方法、再生可能エネルギー利用システムおよび再生可能エネルギー情報管理装置の好適な実施例を詳細に説明する。
【実施例】
【００３１】
まず、本実施例に係る再生可能エネルギー利用システムの構成について説明する。図１は、本実施例に係る再生可能エネルギー利用システムの構成を説明するための説明図である。同図に示すように、この再生可能エネルギー利用システムは、再生可能エネルギーに関する情報を管理する再生可能エネルギー情報管理装置１００が、風力発蓄電所１１、風力充電スタンド１２、ミニ水力発蓄電所２１、ミニ水力充電スタンド２２、太陽光発蓄電所３１、太陽光充電スタンド３２、ゴミ発蓄電所４１、ゴミ充電スタンド４２、バイオマス発蓄電所５１、バイオマス充電スタンド５２、廃棄エネルギー合成燃料充填所６１、バイオマス合成燃料充填所７１および情報表示板８１に蓄充電情報ネットワーク８２を介して接続されて構成される。
【００３２】
風力発蓄電所１１は、風力を用いて発電を行う発電所であり、発電によって生成した電気エネルギーを蓄電池に蓄電する。風力充電スタンド１２は、風力発蓄電所１１に近接した道路に設置され、風力発蓄電所１１の蓄電池に蓄電された電気エネルギーを用いて電気自動車等の電気を利用する移動体の蓄電池を充電するスタンドである。
【００３３】
ミニ水力発蓄電所２１は、水力を用いて発電を行う小規模な発電所であり、発電によって生成した電気エネルギーを蓄電池に蓄電する。ミニ水力充電スタンド２２は、ミニ水力発蓄電所２１に近接した道路に設置され、ミニ水力発蓄電所２１の蓄電池に蓄電された電気エネルギーを用いて電気自動車等の電気を利用する移動体の蓄電池を充電するスタンドである。
【００３４】
太陽光発蓄電所３１は、太陽光エネルギーを用いて発電を行う発電所であり、発電によって生成した電気エネルギーを蓄電池に蓄電する。太陽光充電スタンド３２は、太陽光発蓄電所３１に近接した道路に設置され、太陽光発蓄電所３１の蓄電池に蓄電された電気エネルギーを用いて電気自動車等の電気を利用する移動体の蓄電池を充電するスタンドである。
【００３５】
ゴミ発蓄電所４１は、ゴミを用いて発電を行う発電所であり、発電によって生成した電気エネルギーを蓄電池に蓄電する。ゴミ充電スタンド４２は、ゴミ発蓄電所４１に近接した道路に設置され、ゴミ発蓄電所４１の蓄電池に蓄電された電気エネルギーを用いて電気自動車等の電気を利用する移動体の蓄電池を充電するスタンドである。なお、ゴミは再生可能エネルギー源ではないが、ここでは、ゴミ発電を再生可能エネルギー発電に含めることとする。
【００３６】
バイオマス発蓄電所５１は、バイオマスエネルギーを用いて発電を行う発電所であり、発電によって生成した電気エネルギーを蓄電池に蓄電する。バイオマス充電スタンド５２は、バイオマス発蓄電所５１に近接した道路に設置され、バイオマス発蓄電所５１の蓄電池に蓄電された電気エネルギーを用いて電気自動車等の電気を利用する移動体の蓄電池を充電するスタンドである。
【００３７】
なお、各充電スタンド、すなわち、風力充電スタンド１２、ミニ水力充電スタンド２２、太陽光充電スタンド３２、ゴミ充電スタンド４２およびバイオマス充電スタンド５２は、商用の電力系統と接続され、各発蓄電所、すなわち、風力発蓄電所１１、ミニ水力発蓄電所２１、太陽光発蓄電所３１、ゴミ発蓄電所４１およびバイオマス発蓄電所５１が発電を行っていない場合には、商用の電力系統から電力の供給を受けて移動体の蓄電池を充電することができる。
【００３８】
廃棄エネルギー合成燃料充填所６１は、廃棄エネルギーによりメタノールやエタノールなどの燃料を合成し、合成した燃料を自動車に充填する充填所であり、バイオマス合成燃料充填所７１は、バイオマスによりメタノールやエタノールなどの燃料を合成し、合成した燃料を自動車に充填する充填所である。
【００３９】
再生可能エネルギー情報管理装置１００は、蓄充電情報ネットワーク８２を介して各発蓄電所からはエネルギー保有量などの情報、各充電スタンドからは充電量などの情報、各合成燃料充填所からは燃料保有量や燃料供給量などの情報を収集して管理する装置である。
【００４０】
また、この再生可能エネルギー情報管理装置１００は、利用者からのインターネットを介した問い合せに応答して各充電スタンドでの充電可能量や価格、各合成燃料充填所での充填可能量や価格などの情報を提供する。また、この再生可能エネルギー情報管理装置１００は、情報表示板８１に各充電スタンドでの充電可能量や価格、各合成燃料充填所での充填可能量や価格などの情報を表示する。
【００４１】
情報表示板８１は、再生可能エネルギー情報管理装置１００の指示に基づいて、各充電スタンドが保有する電気エネルギー量および価格ならびに各合成燃料充填所が保有する合成燃料の量および価格を表示する表示板である。充電スタンドおよび合成燃料充填所の利用者は、この情報表示板８１の表示を見て適切な充電スタンドや合成燃料充填所を選択することができる。
【００４２】
このように、本実施例に係る再生可能エネルギー利用システムでは、再生可能エネルギーを用いて各発蓄電所が電気エネルギーを生成して蓄電池に蓄電し、蓄電池に蓄電した電気エネルギーを用いて各充電スタンドが電気自動車等の電気を利用する移動体の蓄電池を充電することによって、再生可能エネルギー発電所を電力系統に接続することなく再生可能エネルギー発電電力を利用することができる。
【００４３】
したがって、高度な電力品質を追求する必要がなく、また、既存の電力系統に悪影響を与えることなく、再生可能エネルギー発電で発電された電力を利用することができ、再生可能エネルギーの利用を促進することができる。また、充電スタンドでの充電価格を商用電力による充電と比較して低く設定することによって、電気自動車の普及を支援し、自動車の脱石油、地域大気清浄化に貢献することができる。
【００４４】
また、本実施例に係る再生可能エネルギー利用システムでは、各合成燃料充填所が廃棄物やバイオマスを用いて燃料を合成し、合成燃料を用いて走行する移動体に合成燃料を提供することによって、廃棄物やバイオマスを有効に利用することができる。
【００４５】
また、本実施例に係る再生可能エネルギー利用システムでは、再生可能エネルギー情報管理装置１００が各発蓄電所、充電スタンド、合成燃料充填所から再生可能エネルギーに関する情報を収集し、利用者に再生可能エネルギーに関する情報を提供することによって、利用者は適切な充電スタンドや合成燃料充填所を選択することができる。
【００４６】
なお、この再生可能エネルギー利用システムは、村や町といった地域ごとに構築される。したがって、各地域では、風力、ミニ水力、太陽光、ゴミ、バイオマスのうち地域に適した再生可能エネルギーを用いて再生可能エネルギー利用システムを構築する。
【００４７】
すなわち、図１では説明の便宜上、１つの風力発蓄電所１１、ミニ水力発蓄電所２１、太陽光発蓄電所３１、ゴミ発蓄電所４１、バイオマス発蓄電所５１、廃棄エネルギー合成燃料充填所６１、バイオマス合成燃料充填所７１を示したが、これらのうちのいずれかの発蓄電所や合成燃料充填所の組み合わせによって再生可能エネルギー利用システムを構築することができる。あるいは、１種類の再生可能エネルギーを用いる複数の再生可能エネルギー発蓄電所によって再生可能エネルギー利用システムを構築することができる。
【００４８】
また、図１では、１つの発蓄電所に対応させて１つの充電スタンドを示したが、１つの発蓄電所が複数の充電スタンドに電気エネルギーを供給するようにすることもできる。逆に、１つの充電スタンドが複数の発蓄電所から電気エネルギーの供給を受けるようにすることもできる。
【００４９】
また、ここでは、各発電所に蓄電池を備えることとしたが、各充電スタンド側に蓄電池を備えるようにすることもできる。あるいは、蓄電池を備えることなく、発電されている電力だけを利用するようにすることもできる。また、図１では説明の便宜上１つの情報表示板８１だけを示したが、この再生可能エネルギー利用システムでは、複数の情報表示板８１を設けることができる。
【００５０】
また、ここでは、各発電所で発電した電力を電力系統に供給しないこととしたが、各発電所で安定的に発電できる電力だけを電力系統に供給し、不安定な電力を電気自動車等に供給するようにすることもできる。
【００５１】
例えば、図２に示すように、風力発電機１１ａで発電した交流電力をＡＣ−ＤＣ変換器１１ｂを用いて直流電力に変換して蓄電池１１ｃに蓄える。そして、風力発電機１１ａが安定して発電できる電力だけをＤＣ−ＡＣ変換器１１ｄを用いて交流電力に変換し電力系統に供給する。なお、この場合、蓄電池１１ｃは充電スタンド近くに設置し、風力発電機１１ａ、ＡＣ−ＤＣ変換器１１ｂおよびＤＣ−ＡＣ変換器１１ｃを風力発電所に設置する。そして、風力発電所と充電スタンドの間を直流で送電する。
【００５２】
また、図２では、風力発電機１１ａが交流で発電する場合を示したが、風力発電機が直流で発電して蓄電池１１ｃに蓄えるようにすることもできる。その場合は、ＡＣ−ＤＣ変換器１１ｂは不要となる。
【００５３】
次に、再生可能エネルギー情報管理装置１００の構成について説明する。図３は、再生可能エネルギー情報管理装置１００の構成を示す機能ブロック図である。同図に示すように、再生可能エネルギー情報管理装置１００は、充電スタンド情報収集部１１０と、発電情報収集部１２０と、合成燃料充填情報収集部１３０と、再生可能エネルギー情報記憶部１４０と、エネルギー保有量推定部１５０と、価格算出部１６０と、表示制御部１７０と、情報提供部１８０とを有する。
【００５４】
充電スタンド情報収集部１１０は、各充電スタンドから移動体への充電状況に関する情報を定期的に収集し、再生可能エネルギー情報記憶部１４０に格納する処理部であり、例えば、１時間毎に過去１時間の移動体への充電量などの情報を収集する。
【００５５】
発電情報収集部１２０は、各発蓄電所から発蓄電に関する情報を定期的に収集し、再生可能エネルギー情報記憶部１４０に格納する処理部であり、例えば１時間毎に現在のエネルギー保有量、過去１時間の発電量などの情報を収集する。
【００５６】
合成燃料充填情報収集部１３０は、各合成燃料充填所、すなわち、廃棄エネルギー合成燃料充填所６１およびバイオマス合成燃料充填所７１から燃料の合成および充填に関する情報を定期的に収集し、再生可能エネルギー情報記憶部１４０に格納する処理部であり、例えば１時間毎に現在の合成燃料の保有量や過去１時間の合成量および充填量などの情報を収集する。
【００５７】
再生可能エネルギー情報記憶部１４０は、充電スタンド情報収集部１１０、発電情報収集部１２０および合成燃料充填情報収集部１３０が収集した情報を記憶する記憶部である。また、この再生可能エネルギー情報記憶部１４０は、エネルギー保有量推定部１５０が定期的に予測する１時間後の各充電スタンドのエネルギー保有量および各合成燃料充填所の燃料保有量、価格算出部１６０が定期的に算出する各充電スタンドの価格および各合成燃料充填所の価格を記憶する。
【００５８】
エネルギー保有量推定部１５０は、再生可能エネルギー情報記憶部１４０に記憶された過去の発電実績および充電実績に基づいて１時間後の各充電スタンドのエネルギー保有量および各合成燃料充填所の燃料保有量を予測し、予測結果を再生可能エネルギー情報記憶部１４０に格納する処理部である。
【００５９】
具体的には、このエネルギー保有量推定部１５０は、今後１時間の発電量および燃料合成量を予測するとともに、過去の充電および充填の実績値から今後１時間の充電量および充填量を予測し、現在の保有量と今後１時間の発電量および燃料合成量ならびに充電量および充填量の予測値とから１時間後のエネルギー保有量を予測する。
【００６０】
今後１時間の発電量の予測は、風力発蓄電所１１については、例えば、過去の風速と発電量の実績値と今後の風速の予測値を用いて行う。また、ミニ水力発蓄電所２１、ゴミ発蓄電所４１およびバイオマス発蓄電所５１については、例えば、過去の発電量の実績値を用いて行う。また、太陽光発蓄電所３１については、例えば、過去の天気と発電量の実績値と今後の天気予報を用いて行う。
【００６１】
また、今後１時間の燃料合成量の予測は、廃棄エネルギー合成燃料充填所６１については、例えば、廃棄物の量を用いて行い、バイオマス合成燃料充填所７１については、バイオマスの量を用いて行う。
【００６２】
なお、ここでは、１時間後の各充電スタンドのエネルギー保有量および各合成燃料充填所の燃料保有量を予測することとしたが、３０分後や２時間後などを予測するようにすることもできる。
【００６３】
価格算出部１６０は、各充電所における充電価格および各合成燃料充填所における燃料価格を定期的に算出して再生可能エネルギー情報記憶部１４０に格納する処理部である。この価格算出部１６０は、各発蓄電所の発電コストに基づいて充電価格を、各合成燃料充填所の燃料合成コストに基づいて燃料価格を算出するが、市場価格に関する情報の入力を受け付けて、市場価格よりは例えば１０％は少なくとも安くなるように充電価格および燃料価格を算出する。
【００６４】
ただし、この価格算出部１６０は、各充電スタンドが商用の電力系統から電力の供給を受けて自動車の蓄電池の充電を行う場合には、商用の電量料金に基づいて充電価格を算出する。
【００６５】
表示制御部１７０は、再生可能エネルギー情報記憶部１４０に記憶された情報を用いて情報表示板８１に再生可能エネルギーに関する情報を表示する処理部である。図４は、表示制御部１７０が情報表示板８１に表示する充電スタンドに関する情報の一例を示す図である。同図に示すように、この表示では、充電スタンド毎に、充電スタンド名、充電スタンドに電力を供給する発蓄電所名、再生可能エネルギーの種別、エネルギー保有量および価格、１時間後の予測エネルギー保有量を表示する。
【００６６】
図５は、表示制御部１７０が情報表示板８１に表示する合成燃料充填所に関する情報の一例を示す図である。同図に示すように、この表示では、合成燃料充填所毎に、合成燃料充填所名、合成燃料の種別、現在の燃料保有量および価格、１時間後の予測燃料保有量を表示する。
【００６７】
情報提供部１８０は、インターネットを介して利用者から再生可能エネルギーに関する情報提供要求を受け付け、情報提供を行う処理部であり、例えば、図４および図５に示したような情報を利用者に提供する。
【００６８】
次に、再生可能エネルギー情報管理装置１００が定期的に行う再生可能エネルギー情報更新処理の処理手順について説明する。図６は、再生可能エネルギー情報管理装置１００が定期的に行う再生可能エネルギー情報更新処理の処理手順を示すフローチャートである。
【００６９】
同図に示すように、この再生可能エネルギー情報更新処理では、再生可能エネルギー情報管理装置１００は、充電スタンド情報収集部１１０が各充電スタンドから移動体への充電実績などの情報を収集して再生可能エネルギー情報記憶部１４０に格納する（ステップＳ１０１）。
【００７０】
そして、発電情報収集部１２０が各発蓄電所からエネルギー保有量や発電実績などの情報を収集して再生可能エネルギー情報記憶部１４０に格納し（ステップＳ１０２）、合成燃料充電情報収集部１３０が各合成燃料充填所から燃料保有量や燃料合成実績などの情報を収集して再生可能エネルギー情報記憶部１４０に格納する（ステップＳ１０３）。
【００７１】
そして、エネルギー保有量推定部１５０が、今後１時間の各発蓄電所の発電量および各合成燃料充填所の燃料合成量を予測するとともに（ステップＳ１０４）、今後１時間の各充電スタンドの電気エネルギー消費量および各合成燃料充填所の燃料消費量を予測し（ステップＳ１０５）、これらの予測結果に基づいて１時間後の各充電スタンドの予測エネルギー保有量および各合成燃料充填所の予測燃料保有量を算出する（ステップＳ１０６）。
【００７２】
そして、価格算出部１６０が、コスト、市場価格、あるいは、再生可能エネルギーによって発電された電力であるか否かに基づいて価格を算出し（ステップＳ１０７）、表示制御部１７０が情報表示板８１の再生可能エネルギーに関する情報表示を更新する（ステップＳ１０８）。
【００７３】
このように、エネルギー保有量推定部１５０が、１時間後の各充電スタンドの予測エネルギー保有量および各合成燃料充填所の予測燃料保有量を算出することによって、利用者は、充電スタンドや合成燃料充填所までの移動中に電気エネルギーや合成燃料が消費されてしまうリスクをとることなく、再生可能エネルギーの利用を検討することができる。
【００７４】
上述してきたように、本実施例では、風力発蓄電所１１、ミニ水力発蓄電所２１、太陽光発蓄電所３１、ゴミ発蓄電所４１およびバイオマス発蓄電所５１が再生可能エネルギーから電気エネルギーを生成して蓄電池に蓄電し、蓄電池に蓄電した電気エネルギーを用いて風力充電スタンド１２、ミニ水力充電スタンド２２、太陽光充電スタンド３２、ゴミ充電スタンド４２およびバイオマス充電スタンド５２が電気自動車等の電気を利用する移動体の蓄電池を充電することとしたので、各発蓄電所を電力系統に接続することなく各発蓄電所で発電された電力を有効に利用することができる。
【００７５】
また、本実施例では、廃棄エネルギー合成燃料充填所６１およびバイオマス合成燃料充填所７１がそれぞれ廃棄物およびバイオマスから燃料を合成し、合成燃料を用いて走行する移動体に合成燃料を提供することとしたので、廃棄物およびバイオマスを有効に利用することができる。
【００７６】
また、本実施例では、再生可能エネルギー情報管理装置１００が蓄充電情報ネットワーク８２を介して各発蓄電所、各充電スタンド、各合成燃料充填所から再生可能エネルギーに関する情報を収集し、利用者に再生可能エネルギーに関する情報を提供することとしたので、利用者は適切な充電スタンドや合成燃料充填所を選択することができる。
【００７７】
また、本実施例では、再生可能エネルギー情報管理装置１００のエネルギー保有量推定部１５０が、１時間後の各充電スタンドの予測エネルギー保有量および各合成燃料充填所の予測燃料保有量を算出することとしたので、利用者は、充電スタンドや合成燃料充填所までの移動中に電気エネルギーや合成燃料が消費されてしまうリスクをとることなく、再生可能エネルギーの利用を検討することができる。
【００７８】
また、本実施例では、再生可能エネルギー情報管理装置１００の価格算出部１６０が市場価格に関する情報の入力を受け付けて、市場価格よりも安くなるように充電価格および燃料価格を算出することとしたので、再生可能エネルギーの利用を促進することができる。
【００７９】
なお、本実施例では、再生可能エネルギー情報管理装置について説明したが、再生可能エネルギー情報管理装置が有する構成をソフトウェアによって実現することで、同様の機能を有する再生可能エネルギー情報管理プログラムを得ることができる。そこで、この再生可能エネルギー情報管理プログラムを実行するコンピュータについて説明する。
【００８０】
図７は、本実施例に係る再生可能エネルギー情報管理プログラムを実行するコンピュータの構成を示す機能ブロック図である。同図に示すように、このコンピュータ２００は、ＲＡＭ２１０と、ＣＰＵ２２０と、ＨＤＤ２３０と、ＬＡＮインタフェース２４０と、入出力インタフェース２５０と、ＤＶＤドライブ２６０とを有する。
【００８１】
ＲＡＭ２１０は、プログラムやプログラムの実行途中結果などを記憶するメモリであり、ＣＰＵ２２０は、ＲＡＭ２１０からプログラムを読み出して実行する中央処理装置である。ＨＤＤ２３０は、プログラムやデータを格納するディスク装置であり、ＬＡＮインタフェース２４０は、コンピュータ２００をＬＡＮ経由で他のコンピュータや蓄充電情報ネットワーク８２に接続するためのインタフェースである。入出力インタフェース２５０は、マウスやキーボードなどの入力装置および表示装置を接続するためのインタフェースであり、ＤＶＤドライブ２６０は、ＤＶＤの読み書きを行う装置である。
【００８２】
そして、このコンピュータ２００において実行される再生可能エネルギー情報管理プログラム２１１は、ＤＶＤに記憶され、ＤＶＤドライブ２６０によってＤＶＤから読み出されてコンピュータ２００にインストールされる。あるいは、この再生可能エネルギー情報管理プログラム２１１は、ＬＡＮインタフェース２４０を介して接続された他のコンピュータシステムのデータベースなどに記憶され、これらのデータベースから読み出されてコンピュータ２００にインストールされる。そして、インストールされた再生可能エネルギー情報管理プログラム２１１は、ＨＤＤ２３０に記憶され、ＲＡＭ２１０に読み出されてＣＰＵ２２０によって実行される。
【産業上の利用可能性】
【００８３】
以上のように、本発明に係る再生可能エネルギー利用方法、再生可能エネルギー利用システムおよび再生可能エネルギー情報管理装置は、再生可能エネルギー利用に有用であり、特に、町や村などの地域での再生可能エネルギー利用を促進する場合に適している。
【図面の簡単な説明】
【００８４】
【図１】本実施例に係る再生可能エネルギー利用システムの構成を説明するための説明図である。
【図２】風力発電所で安定して発電できる電力を電力系統に供給する場合を示す図である。
【図３】再生可能エネルギー情報管理装置の構成を示す機能ブロック図である。
【図４】表示制御部が情報表示板に表示する充電スタンドに関する情報の一例を示す図である。
【図５】表示制御部が情報表示板に表示する合成燃料充填所に関する情報の一例を示す図である。
【図６】再生可能エネルギー情報管理装置が定期的に行う再生可能エネルギー情報更新処理の処理手順を示すフローチャートである。
【図７】本実施例に係る再生可能エネルギー情報管理プログラムを実行するコンピュータの構成を示す機能ブロック図である。
【符号の説明】
【００８５】
１１    風力発蓄電所
１１ａ    風力発電機
１１ｂ    ＡＣ−ＤＣ変換器
１１ｃ    蓄電池
１１ｄ    ＤＣ−ＡＣ変換器
１２    風力充電スタンド
２１    ミニ水力発蓄電所
２２    ミニ水力充電スタンド
３１    太陽光発蓄電所
３２    太陽光充電スタンド
４１    ゴミ発蓄電所
４２    ゴミ充電スタンド
５１    バイオマス発蓄電所
５２    バイオマス充電スタンド
６１    廃棄エネルギー合成燃料充填所
７１    バイオマス合成燃料充填所
８１    情報表示板
８２    蓄充電情報ネットワーク
１００    再生可能エネルギー情報管理装置
１１０    充電スタンド情報収集部
１２０    発電情報収集部
１３０    合成燃料充填情報収集部
１４０    再生可能エネルギー情報記憶部
１５０    エネルギー保有量推定部
１６０    価格算出部
１７０    表示制御部
１８０    情報提供部
２００    コンピュータ
２１０    ＲＡＭ
２１１    再生可能エネルギー情報管理プログラム
２２０    ＣＰＵ
２３０    ＨＤＤ
２４０    ＬＡＮインタフェース
２５０    入出力インタフェース
２６０    ＤＶＤドライブ
【図１】
2008131841.tif 000003
【図２】
2008131841.tif 000004
【図３】
2008131841.tif 000005
【図４】
2008131841.tif 000006
【図５】
2008131841.tif 000007
【図６】
2008131841.tif 000008
【図７】
2008131841.tif 000009